(57)【特許請求の範囲】
【請求項１】
フィン式熱交換器に適用される防護ネットにおいて、
取り付けられた状態での下辺から所定高さまでの部分の線ピッチが、所定高さ以上の部分の線ピッチよりも小さくなるように形成されていることを特徴とする防護ネット。
【請求項２】
請求項１記載の防護ネットにおいて、
前記線ピッチは、高さ方向の線ピッチであることを特徴とする防護ネット。
【請求項３】
請求項１または２記載の防護ネットにおいて、
取り付けられた状態での下辺から上辺に亘って線ピッチが次第に大きくなるように形成されていることを特徴とする防護ネット。
【請求項４】
請求項１〜３のうち何れか一つに記載の防護ネットをフィン式熱交換器に適用したことを特徴とするヒートポンプ装置。
【発明の詳細な説明】
【技術分野】
【０００１】
本発明は、防護ネットおよびその防護ネットを備えたヒートポンプ装置に係る。特に、本発明は、防護ネットを構成する線材の線ピッチの改良に関する。
【背景技術】
【０００２】
従来、ヒートポンプ装置の室外機等にはフィン式熱交換器が収容されている。また、室外機のパッケージには、フィン式熱交換器に向けて外気を導入するための外気導入開口が形成されており、この外気導入開口には防護ネットが設けられている（例えば特許文献１）。この防護ネットによって、作業者等がフィン式熱交換器の冷却フィンに接触することを防止している。
【先行技術文献】
【特許文献】
【０００３】
【特許文献１】特開２００８−３９３００号公報
【発明の概要】
【発明が解決しようとする課題】
【０００４】
しかしながら、特許文献１に開示されている防護ネットは、線材の線ピッチが均等となっている。このため、高さの低い位置であって幼い子供の手が届く位置にあっては、幼い子供であっても冷却フィンに触れさせないようにするといった防護ネットの効果が十分に発揮できない可能性がある。
【０００５】
本発明は、かかる点に鑑みてなされたものであり、その目的は、幼い子供に対しても冷却フィンに触れさせないようにするといった効果が十分に発揮できる防護ネットおよびその防護ネットを備えたヒートポンプ装置を提示することである。
【課題を解決するための手段】
【０００６】
本発明は、フィン式熱交換器に適用される防護ネットにおいて、取り付けられた状態での下辺から所定高さまでの部分の線ピッチが、所定高さ以上の部分の線ピッチよりも小さくなるように形成されていることを特徴とする。
【０００７】
本発明によれば、取り付けられた状態での下辺から所定高さまでの部分の線ピッチが比較的小さくなっていることにより、幼い子供に対しても冷却フィンに触れさせないようにするといった効果を十分に発揮することができる。また、所定高さ以上の部分の線ピッチが比較的大きくなっていることにより、フィン式熱交換器に向かって防護ネットを通過する空気の流通抵抗を十分に小さくすることができる。
【０００８】
また、一例として、前記線ピッチは、高さ方向の線ピッチである。つまり、取り付けられた状態での下辺から所定高さまでの部分における高さ方向の線ピッチを、所定高さ以上の部分における高さ方向の線ピッチよりも小さく設定したものである。
【０００９】
これによれば、水平方向の線ピッチが均等であったり、この水平方向の線ピッチが比較的大きい場合であっても、取り付けられた状態での下辺から所定高さまでの部分における高さ方向の線ピッチが比較的小さくなっていることにより、幼い子供に対しても冷却フィンに触れさせないようにするといった効果を十分に発揮することができる。
【００１０】
また、一例として、取り付けられた状態での下辺から上辺に亘って線ピッチが次第に大きくなるように形成している。
【００１１】
これによれば、防護ネットを構成する線材の本数の増加を抑制しながらも、幼い子供に対しても冷却フィンに触れさせないようにするといった効果を十分に発揮することができる。
【００１２】
また、前記各解決手段のうち何れか一つの防護ネットをフィン式熱交換器に適用したヒートポンプ装置も本発明の技術的思想の範疇である。
【００１３】
これにより、幼い子供に対しても冷却フィンに触れさせないようにするといった効果を十分に発揮することが可能なヒートポンプ装置を提供できる。
【発明の効果】
【００１４】
本発明では、防護ネットにおいて、取り付けられた状態での下辺から所定高さまでの部分の線ピッチを、所定高さ以上の部分の線ピッチよりも小さくしている。このため、幼い子供に対しても冷却フィンに触れさせないようにするといった効果を十分に発揮することができる。
【図面の簡単な説明】
【００１５】
【図１】実施形態に係る室外機を正面側から見た斜視図である。
【図２】実施形態に係る室外機の正面図である。
【図３】実施形態に係る室外機の右側面図である。
【図４】実施形態に係る防護ネットを示す図である。
【図５】変形例１に係る防護ネットを示す図である。
【図６】変形例２に係る防護ネットを示す図である。
【図７】変形例３に係る防護ネットを示す図である。
【図８】変形例４に係る防護ネットを示す図である。
【発明を実施するための形態】
【００１６】
以下、本発明の実施の形態を図面に基づいて説明する。本実施形態は、エンジン駆動ヒートポンプ装置（以下、単にヒートポンプ装置という）の室外機に本発明を適用した場合について説明する。このヒートポンプ装置は、室外機に収容されたガスエンジンによって圧縮機を作動させ、室外機と室内機との間に亘って設けられた冷媒回路で冷媒を循環させることにより室内の空気調和を行う装置である。また、本実施形態に係るヒートポンプ装置は、前記空気調和の機能に加えて、エンジンに発電機が連結されエンジンの動力を利用して発電機による発電を行う機能も備えている。
【００１７】
−室外機の概略構成−
図１は実施形態に係る室外機１を正面側から見た斜視図である。図２は室外機１の正面図である。図３は室外機１の右側面図である。
【００１８】
図１に示すように、室外機１は、上下方向に長い略直方体に形成された筺体としてのパッケージ２を備えている。また、パッケージ２は、正面から背面までの前後方向の奥行き寸法に比べて、左右方向の幅寸法が長くなっている。
【００１９】
詳しくは、パッケージ２は、図示しないベース部材およびフレームに対して複数のパネル（外面パネル）２１〜２５が着脱可能に取り付けられた構成となっている。
【００２０】
具体的には、図１および図２に示すように、室外機１の正面の下側には、後述するエンジンルーム３の正面側を覆う２枚の正面パネル２１，２２が取り付けられている。また、室外機１の正面の上側には、後述する熱交換室４に外気を導入するための外気導入開口１１が設けられている。この外気導入開口１１には防護ネット５が設けられている。この防護ネット５の詳細については後述する。
【００２１】
また、図１および図３に示すように、室外機１の側面の下側には、後述するエンジンルーム３の側面側を覆う側面下部パネル２３が取り付けられている。また、室外機１の側面の上側には、後述する熱交換室４の側面側を覆う側面上部パネル２４が取り付けられている。
【００２２】
なお、室外機１の背面側も前記正面側と同様に、下側が背面パネル（図示省略）によって覆われ、上側に外気導入開口（図示省略）が設けられている。この外気導入開口にも防護ネットが設けられている。また、この室外機１の背面パネルには、室内機から延びる各冷媒配管の接続口、燃料ガス管の接続口、電気配線孔等が設けられている。また、室外機１の左側面側も前記右側面側と同様に、側面パネル（図示省略）によって覆われている。
【００２３】
また、図１に示すように、室外機１の上部には、上面パネル２５が取り付けられている。この上面パネル２５の３箇所には外気導出開口１２が形成されている。これら外気導出開口１２それぞれに対向して室外ファン４１および室外ファンモータ等が配設されている。また、上面パネル２５には、エンジンからの排気ガスを大気中に放出する排気出口（図示省略）等が形成されている。
【００２４】
各パネル２１〜２５は、ボルト止めによってベース部材およびフレームに着脱可能に取り付けられている。このボルト止め位置にあっては、パネル２１〜２５の外面がエンボス加工によって凹陥されており、この凹陥部の底部にボルト孔が形成されている。このエンボス加工による凹陥寸法はボルトの頭部の高さ寸法に略一致している。このため、各パネル２１〜２５を、ボルト止めによってベース部材およびフレームに取り付けた状態では、各パネル２１〜２５の表面と、ボルトの頭部の端面とが略同一面上に位置することになる。これにより、各パネル２１〜２５の表面よりもボルトの頭部が突出することがなくなり、室外機１の外観が良好となっている。
【００２５】
パッケージ２の内部空間は、隔壁によって上下に仕切られており、上側が熱交換室４となっており、下側がエンジンルーム３となっている。
【００２６】
熱交換室４には、室外熱交換器、ラジエータ、前記室外ファン４１および室外ファンモータ等が収容されている。室外熱交換器は、フィン式室外熱交換器で構成され、熱交換室４の正面側および背面側にそれぞれ配置されている。つまり、熱交換室４の正面側および背面側それぞれに形成されている外気導入開口１１に対面するように室外熱交換器は配置されている。室外ファン４１は、外気導入開口１１から外気導出開口１２に向かう気流を発生させる。これにより、外気を正面および背面それぞれの外気導入開口１１から吸い込み、室外熱交換器にて外気と冷媒との間で熱交換させ、熱交換後の外気を外気導出開口１２から上方へ吹き出すようになっている。
【００２７】
また、室外熱交換器は、水平方向に所定間隔を存して配置された多数枚の冷却フィン（例えば薄いアルミニウム板で成る）を冷媒管が貫通した構成となっている。これにより、冷媒管を流れる冷媒と、冷却フィン同士の間を流れる空気との間での熱交換が効果的に行われる。
【００２８】
エンジンルーム３には、エンジン系統機器および冷媒回路機器等のヒートポンプ装置の主要機器が収容されている。エンジン系統機器としては、エンジン、吸気消音器および排気消音器等が挙げられる。また、冷媒回路機器として圧縮機およびレシーバ等が挙げられる。
【００２９】
−防護ネットの構成−
次に、本実施形態の特徴である防護ネット５の構成について説明する。
【００３０】
図４は防護ネット５を示す図である。図１、図２および図４に示すように、防護ネット５は、前記外気導入開口１１を覆うようにパッケージ２に取り付けられた状態において鉛直方向に延びる縦線材５１ａ〜５１ｆと、水平方向に延びる横線材５２ａ〜５２ｏとが、溶接等の接合手段によって一体的に接合された構成となっている。なお、パッケージ２に対する防護ネット５の取り付け構造としては、前記縦線材５１ａ〜５１ｆおよび横線材５２ａ〜５２ｏの端縁部が、外気導入開口１１の縁部にボルト止めされるといった周知の構造が挙げられる。この場合、前記縦線材５１ａ〜５１ｆおよび横線材５２ａ〜５２ｏの全ての端縁部が、外気導入開口１１の縁部にボルト止めされる必要はなく、特定の縦線材５１ａ〜５１ｆおよび横線材５２ａ〜５２ｏの端縁部のみが外気導入開口１１の縁部にボルト止めされておればよい。
【００３１】
図４に示すように、縦線材５１ａ〜５１ｆの線ピッチ（水平方向の線ピッチ）は、防護ネット５の全体に亘って均等となっている。例えば、６本の縦線材５１ａ〜５１ｆが設けられ、これら縦線材５１ａ〜５１ｆが水平方向に等間隔（等ピッチ）で配置されている。これら縦線材５１ａ〜５１ｆの線ピッチとしては、例えば４００ｍｍが挙げられる。この縦線材５１ａ〜５１ｆの線ピッチとしてはこの値に限定されるものではなく、室外熱交換器に向かって防護ネット５を通過する空気の流通抵抗に応じて適宜設定される。
【００３２】
一方、横線材５２ａ〜５２ｏの線ピッチ（鉛直方向（高さ方向）の線ピッチ）は、防護ネット５の下辺から上辺に亘って次第に大きくなっている。例えば、１５本の横線材５２ａ〜５２ｏが設けられ、これら横線材５２ａ〜５２ｏそれぞれの線ピッチが、防護ネット５の下辺から上辺に亘って次第に大きくなっている。具体的に、最上部に位置する横線材５２ａと最上部から２番目に位置する横線材５２ｂとの間の線ピッチ（図４における寸法Ｐ１）としては、例えば１８０ｍｍに設定されている。この場合、横線材５２ａ〜５２ｏの線径が２ｍｍであると、横線材５２ａと横線材５２ｂとの間の間隔寸法（網目の寸法）は１７８ｍｍとなり、比較的大きな間隔寸法として設定されることになる。
【００３３】
これに対し、最下部に位置する横線材５２ｏと最下部から２番目に位置する横線材５２ｎとの間の線ピッチ（図４における寸法Ｐ２）としては、例えば１０ｍｍに設定されている。この場合、横線材５２ａ〜５２ｏの線径が２ｍｍであると、横線材５２ｏと横線材５２ｎとの間の間隔寸法（網目の寸法）は８ｍｍとなり、非常に小さな間隔寸法として設定されることになる。
【００３４】
そして、これらの間に位置する各横線材５２ｂ〜５２ｎ同士の間の線ピッチは、防護ネット５の下辺から上辺に亘って次第に大きくなっている。つまり、防護ネット５の下側の領域では、各横線材の線ピッチが比較的小さくなっているのに対し、防護ネット５の上側の領域では、各横線材の線ピッチが比較的大きくなっている。言い換えると、防護ネット５の取り付け状態での下辺から所定高さまでの部分の線ピッチが、所定高さ以上の部分の線ピッチよりも小さくなるように防護ネット５は形成されている。
【００３５】
具体的に、前述した如く横線材５２ａと横線材５２ｂとの間の線ピッチが１８０ｍｍであって、横線材５２ｏと横線材５２ｎとの間の線ピッチが１０ｍｍであった場合、その他の横線材５２ｂ〜５２ｎ同士の間の線ピッチは例えば以下のように設定される。
【００３６】
横線材５２ｂと横線材５２ｃとの間の線ピッチは１６０ｍｍ、横線材５２ｃと横線材５２ｄとの間の線ピッチは１４０ｍｍ、横線材５２ｄと横線材５２ｅとの間の線ピッチは１２０ｍｍ、横線材５２ｅと横線材５２ｆとの間の線ピッチは１００ｍｍ、横線材５２ｆと横線材５２ｇとの間の線ピッチは８０ｍｍ、横線材５２ｇと横線材５２ｈとの間の線ピッチは６０ｍｍ、横線材５２ｈと横線材５２ｉとの間の線ピッチは４０ｍｍ、横線材５２ｉと横線材５２ｊとの間の線ピッチは２５ｍｍ、横線材５２ｊと横線材５２ｋとの間の線ピッチは２０ｍｍ、横線材５２ｋと横線材５２ｌとの間の線ピッチは１６ｍｍ、横線材５２ｌと横線材５２ｍとの間の線ピッチは１４ｍｍ、横線材５２ｍと横線材５２ｎとの間の線ピッチは１２ｍｍ。
【００３７】
また、幼い子供の手が入らない程度の線ピッチ（例えば２０ｍｍ以下の線ピッチ）に設定されている範囲において最も高い位置にある横線材（例えば横線材５２ｊ）の地上からの高さ位置は、例えば１２００ｍｍ程度となっている。この高さ位置は、幼い子供の手が届く範囲のうちの最も高い位置である。このため、この高さ位置よりも下側に配置されている横線材５２ｊ〜５２ｏの線ピッチは、幼い子供の手が届く範囲でありながらも、この幼い子供であっても室外熱交換器の冷却フィンに触れさせないようにするといった効果を発揮できるように設定されている。
【００３８】
前述した各寸法は前記の値に限定されるものではなく適宜設定される。
【００３９】
このように、本実施形態に係る防護ネット５は、取り付けられた状態での下辺から所定高さまでの部分（高さの低い位置であって幼い子供の手が届く位置）の各横線材の線ピッチが比較的小さくなっている。このため、幼い子供に対しても室外熱交換器の冷却フィンに触れさせないようにするといった効果を十分に発揮することができる。また、所定高さ以上の部分の各横線材の線ピッチが比較的大きくなっている。このため、室外熱交換器に向かって防護ネット５を通過する空気の流通抵抗を十分に小さくすることができ、室外熱交換器を通過する空気量を十分に得ることができて空気と冷媒との間の交換熱量を十分に確保することができる。また、防護ネット５全体としての線材の本数の増加を抑制することもできる。
【００４０】
（変形例１）
次に変形例１について説明する。この変形例は防護ネット５の線材の線ピッチの変形例である。その他の構成は前述した実施形態のものと同様であるので、ここでは防護ネット５の線材の線ピッチについてのみ説明する。
【００４１】
図５は本変形例に係る防護ネット５を示す図である。この図５に示すように、本変形例に係る防護ネット５では、縦線材５１ａ〜５１ｆの線ピッチ（水平方向の線ピッチ）は、前記実施形態のものと同様に、防護ネット５の全体に亘って均等となっている。
【００４２】
一方、横線材５２ａ〜５２ｐの線ピッチ（鉛直方向の線ピッチ）としては、防護ネット５の上半分の領域では、線ピッチが比較的大きく設定されていると共に、この上半分の領域における各線ピッチは均等となっている（図５における寸法Ｐ３）。例えば、１６本の横線材５２ａ〜５２ｐが設けられ、これら横線材５２ａ〜５２ｐのうちの上側の６本の横線材５２ａ〜５２ｆの線ピッチが比較的大きく設定されていると共に、これら横線材５２ａ〜５２ｆの線ピッチは均等となっている。例えば線ピッチが１００ｍｍに設定されている。
【００４３】
これに対し、防護ネット５の下半分の領域では、線ピッチが比較的小さく設定されていると共に、この下半分の領域における各線ピッチは均等となっている（図５における寸法Ｐ４）。例えば、１６本の横線材５２ａ〜５２ｐが設けられ、これら横線材５２ａ〜５２ｐのうちの下側の１１本の横線材５２ｆ〜５２ｐの線ピッチが比較的小さく設定されていると共に、これら横線材５２ｆ〜５２ｐの線ピッチは均等となっている。例えば線ピッチが２０ｍｍに設定されている。
【００４４】
これら横線材５２ａ〜５２ｐの線ピッチとしては前記の値に限定されるものではなく適宜設定される。
【００４５】
このように、本変形例に係る防護ネット５は、下半分の領域では、線ピッチが比較的小さく設定されている。このため、幼い子供に対しても室外熱交換器の冷却フィンに触れさせないようにするといった効果を十分に発揮することができる。また、上半分の領域では、線ピッチが比較的大きく設定されている。このため、室外熱交換器に向かって防護ネット５を通過する空気の流通抵抗を十分に小さくすることができ、室外熱交換器を通過する空気量を十分に得ることができて空気と冷媒との間の交換熱量を十分に確保することができる。
【００４６】
（変形例２）
次に変形例２について説明する。この変形例も防護ネット５の線材の線ピッチの変形例である。その他の構成は前述した実施形態のものと同様であるので、ここでも防護ネット５の線材の線ピッチについてのみ説明する。
【００４７】
図６は本変形例に係る防護ネット５を示す図である。この図６に示すように、本変形例に係る防護ネット５では、横線材５２ａ〜５２ｋの線ピッチ（鉛直方向の線ピッチ）は、防護ネット５の全体に亘って均等となっている。
【００４８】
一方、縦線材５１ａ〜５１ｕの線ピッチ（水平方向の線ピッチ）としては、防護ネット５の上半分の領域では、線ピッチが比較的大きく設定されていると共に、この上半分の領域における線ピッチは均等となっている（図６における寸法Ｐ５）。例えば、この上半分の領域には１１本の縦線材５１ａ〜５１ｋが設けられ、これら縦線材５１ａ〜５１ｋの線ピッチが比較的大きく設定されていると共に、これら縦線材５１ａ〜５１ｋの線ピッチは均等となっている。
【００４９】
これに対し、防護ネット５の下半分の領域では、水平方向の線ピッチが比較的小さく設定されていると共に、この下半分の領域における水平方向の線ピッチは均等となっている（図６における寸法Ｐ６）。例えば、この下半分の領域には２１本の縦線材５１ａ〜５１ｕが設けられ、これら縦線材５１ａ〜５１ｕの線ピッチが比較的小さく設定されていると共に、これら縦線材５１ａ〜５１ｕの線ピッチは均等となっている。具体的には、前記上半分の領域に設けられている縦線材５１ａ〜５１ｋが下半分の領域まで延長されていると共に、これら縦線材５１ａ〜５１ｋ同士の間に縦線材５１ｌ〜５１ｕがそれぞれ配設され、これにより、この下半分の領域の水平方向の線ピッチが小さく設定されている。
【００５０】
このように、本変形例に係る防護ネット５は、下半分の領域では、水平方向の線ピッチが比較的小さく設定されている。このため、幼い子供に対しても室外熱交換器の冷却フィンに触れさせないようにするといった効果を十分に発揮することができる。また、上半分の領域では、水平方向の線ピッチが比較的大きく設定されている。このため、室外熱交換器に向かって防護ネット５を通過する空気の流通抵抗を十分に小さくすることができ、室外熱交換器を通過する空気量を十分に得ることができて空気と冷媒との間の交換熱量を十分に確保することができる。
【００５１】
（変形例３）
次に変形例３について説明する。この変形例も防護ネット５の線材の線ピッチの変形例である。その他の構成は前述した実施形態のものと同様であるので、ここでも防護ネット５の線材の線ピッチについてのみ説明する。
【００５２】
図７は本変形例に係る防護ネット５を示す図である。この図７に示すように、本変形例に係る防護ネット５は、前記実施形態に係る防護ネット５に対し、その下半分の領域において、各縦線材５１ａ〜５１ｆ同士の間にそれぞれ２本の縦線材５１ｇ〜５１ｐを配設したものである。これにより、防護ネット５の下半分の領域では、鉛直方向の線ピッチだけでなく水平方向の線ピッチも比較的小さく設定されることになる。
【００５３】
この構成によれば、前記実施形態のものに比べて、防護ネット５の下半分の領域では、鉛直方向および水平方向の両方向において線材同士の間隔寸法（網目の寸法）を小さくすることができる。このため、幼い子供に対しても室外熱交換器の冷却フィンに触れさせないようにするといった効果を確実に発揮させることができる。
【００５４】
（変形例４）
次に変形例４について説明する。この変形例も防護ネット５の線材の線ピッチの変形例である。その他の構成は前述した変形例１のものと同様であるので、ここでも防護ネット５の線材の線ピッチについてのみ説明する。
【００５５】
図８は本変形例に係る防護ネット５を示す図である。この図８に示すように、本変形例に係る防護ネット５は、前記変形例１に係る防護ネット５に対し、その下半分の領域において、各縦線材５１ａ〜５１ｆ同士の間にそれぞれ２本の縦線材５１ｇ〜５１ｐを配設したものである。これにより、防護ネット５の下半分の領域では、鉛直方向の線ピッチだけでなく水平方向の線ピッチも比較的小さく設定されることになる。
【００５６】
この構成によっても、前記変形例３の場合と同様に、防護ネット５の下半分の領域では、鉛直方向および水平方向の両方向において線材同士の間隔寸法（網目の寸法）を小さくすることができる。このため、幼い子供に対しても室外熱交換器の冷却フィンに触れさせないようにするといった効果を確実に発揮させることができる。
【００５７】
本発明は、以上説明した実施形態および各変形例に限定されるものではなく、他のいろいろな形で実施することができる。そのため、かかる実施形態および各変形例はあらゆる点で単なる例示にすぎず、限定的に解釈してはならない。本発明の範囲は請求の範囲によって示すものであって、明細書本文には、何ら拘束されない。さらに、請求の範囲の均等範囲に属する変形や変更は、全て本発明の範囲内のものである。
【００５８】
例えば、前述した実施形態および各変形例では、エンジンをガスエンジンとしていたが、ガソリンを燃料とするエンジンや軽油を燃料とするエンジンであってもよい。
【００５９】
また、前述した実施形態および各変形例では、ヒートポンプ装置の室外機に本発明を適用した場合について説明したが、フィン式熱交換器に適用される防護ネットを備えるものであれば様々な機器に本発明は適用が可能である。
【符号の説明】
【００６０】
１      室外機
５      防護ネット
５１    縦線材
５２    横線材
Ｐ      線ピッチ
【図１】
0006285330.tif 000002
【図２】
0006285330.tif 000003
【図３】
0006285330.tif 000004
【図４】
0006285330.tif 000005
【図５】
0006285330.tif 000006
【図６】
0006285330.tif 000007
【図７】
0006285330.tif 000008
【図８】
0006285330.tif 000009